(57)【要約】【課題】  外出時に交流電源を得ることができない情況で使用する携帯可能なノートPCの電源装置を提供する。【解決手段】  主にノートPC内部のCPUの作動により生じる熱エネルギーを導熱管を通じて電源発生本体に伝導し、或いは同時に燃料発熱器が発生する熱エネルギーを利用する方式により、該熱エネルギーをエンジン室及び発電機により電源に転換し、ノートPCが必要とする直流電源を供給する。こうして、ノートPCの使用者は交流電源の供給を不要とすることができる。【選択図】図４
0003104138.tif 000002
【実用新案登録請求の範囲】
【請求項１】
主にノートPC内部のCPUが生じる熱エネルギーを利用し、或いは燃料発熱器が発生する熱エネルギーを利用し、該熱エネルギーを運動エネルギーに転換するエンジン室、及び該運動エネルギーを電源に転換する発電機を経由し、該熱エネルギーを電源に転換し、ノートPCが必要とする直流電源を提供することを特徴とするノートPCの電源装置。
【請求項２】
前記電源装置はCPUの生じる熱エネルギーを導熱管を経由し回収する方式、或いは前記燃料発熱器が熱エネルギーを生じる方式を独立或いは合併して設置可能であることを特徴とする請求項１記載のノートPCの電源装置。
【請求項３】
前記電源装置はCPU散熱板、導熱管、電源発生本体、直流電源出力線などを含み、
該電源発生本体内にはエンジン室、発電機、電子回路コントローラ、燃料発熱器などを含み、
該エンジン室は熱エネルギーを受取ることができ、また該熱エネルギーによりその回転軸を回転させることができる一種の熱エネルギー転換運動エネルギー装置で、その片側と該導熱管は接続し、該導熱管が伝達して来る熱源を直接受取ることができ、
該発電機は運動エネルギーにより起動され、該電子回路コントローラに対応し、電気エネルギーを発生する一種の運動エネルギー転換電源装置であることを特徴とする請求項１記載のノートPCの電源装置。
【請求項４】
前記電子回路コントローラは電子制御板、電子部品、起動バッテリを含み、
該電子回路コントローラ内には起動スイッチ、発電機回転速度検知部品、制御回路インジケータを設置し、反対端には点火線を設置し、
該電子制御板の電子部品中には点火回路、電圧安定及びダブラー回路、回転速度検知回路などを含み、
該発電機回転速度検知部品は運動エネルギーが生じる回転速度を検知し、電子回路を通じて自動的に電源発生の切替を調節し、検知と出力電源の大小に基づき、電圧安定及びダブラー調整することを特徴とする請求項３記載のノートPCの電源装置。
【請求項５】
前記電源装置はノートPCメーカー提供の充電器と直列使用することができ、前記回路コントローラにより自動的に切り替え、制御を行うことを特徴とする請求項１記載のノートPCの電源装置。
【考案の詳細な説明】
【技術分野】
【０００１】
本考案は、一種のノートPC内部のCPUが生じる熱エネルギーを利用し、或いは同時に可燃性燃料発熱器が生じる熱エネルギーを使用する方式で、電源発生本体のエンジン室及び発電機により、熱エネルギーを電子コントローラ回路に合わせノートPCが必要とする電源を発生し、使用者は交流電源がない環境下でもノートPCを継続使用することができ、エネルギー回収、再利用を達成し、ノートPC構造中の冷却装置のコストを低減することができる電源の電源装置の技術分野に属する。
【背景技術】
【０００２】
現在市販されているノートPCは外出時の使用においてバッテリー容量の制限を受けざるを得ない。すなわち、交流電源を摂取することができない場合には、数時間しか使用できないのである。
これに対して本考案は、ノートPCの屋外での使用時、該ノートPC内部の作動により生じる熱エネルギー、或いは同時に燃料発熱器が生じる熱エネルギーを利用し、発電機を通じて該熱エネルギーを電源に転換する革新的なエネルギー提供装置である。これによりノートPCにおいて熱エネルギー回収の効果を上げ、同時に熱エネルギーを迅速に散熱することができる。
ノートPCを外出時に使用する場合には、手近なところに使用可能な交流電源がない時には、バッテリを用いノートPCを使用することとなる。しかし、該バッテリはノートPC本体の回路が必要とする電力を提供しなければならない以外に、CPUが生じる熱エネルギーを冷却するための散熱ファンを作動する電源をも提供しなければならない。しかし、本考案の革新的なノートPC電源装置を使用すれば、電源発生装置本体により熱を電源に転換することができ、散熱装置の負荷を分散することができ、同時に熱エネルギー転換方式を再利用し電源を作り出し出力することができるため、バッテリの電源供給能力を延長することができる。こうしてエネルギー回収の効率を高めることができ、かつノートPC中の散熱装置のコストを軽減することができる。
本考案に使用する可燃性オイルによる発熱方式は電源発生本体により、新たな補充電源をノートPCに提供し、同時に電子制御回路のダブラー回路、電圧安定回路、発電機の回転速度検知部品、電力自動切換えスイッチ、点火回路、回流信号などの電子回路により構成され、十分に電力出力を自動調節する機能を達成することができる。こうして、該電源発生装置はノートPCに最良の電源使用効率を提供することができる。
【考案の開示】
【考案が解決しようとする課題】
【０００３】
公知構造には以下の欠点があった。
ノートPC使用には交流電源を変圧器を通じて必要とする直流電源に転換する必要があるが、使用者が交流電源を摂取することができない情況では、内部のバッテリが貯える余剰電力で操作を維持することしか選択肢がない。しかしバッテリの容量が尽きれば、予備のバッテリに交換するか、バッテリの充電完了を長時間待った末に該ノートPCはようやく操作可能となる。これはノートPC電源における大きな制限であり、ノートPC携帯時における大問題である。
本考案は上記構造の問題点を解決したノートPCの電源装置を提供するものである。
【課題を解決するための手段】
【０００４】
上記課題を解決するため、本考案は下記のノートPCの電源装置を提供する。
それは図１、２に示すように、主にCPU散熱板１、導熱管２、電源発生本体３、直流電源出力線４などにより構成する。
次に図２に示すように、該電源発生本体３内にはエンジン室５、発電機６、電子回路コントローラ７、燃料発熱器８などを含む。
該エンジン室５は熱エネルギーを受取ることができ、また該熱エネルギーによりその回転軸５１を回転させることができる一種の熱エネルギー転換運動エネルギー装置で、その片側と該導熱管２は接続し、該導熱管２が伝達して来る熱源を直接受取ることができる。
該発電機６は運動エネルギーにより起動され、該電子回路コントローラ７に対応し、電気エネルギーを発生する一種の運動エネルギー転換電源装置である。
該電子回路コントローラ７は電子制御板７１、電子部品７２、起動バッテリ７３を含む。該電子回路コントローラ７内には起動スイッチ７４、発電機回転速度検知部品７５、制御回路インジケータ７６を設置し、反対端には点火線７７を設置する。該電子制御板７１の電子部品７２中には点火回路A、電圧安定及びダブラー回路B、回転速度検知回路Cなどを含む。
続いて図２に示すように、本考案ノートPCの電源装置の基本原理は、ノートPC９内部に搭載するCPU散熱板１が発生する熱エネルギーをその上の散熱板導熱管１１を通じて集中させ、該導熱管２により本考案ノートPCの電源装置の該エンジン室５に伝達し、該エンジン室５により該熱エネルギーを転化し、該回転軸５１を回転し、該発電機６を起動し電力を発生する。しかも、該直流電源出力線４により出力し、該接続端子４１を通して該ノートPC９に接続し電源を供給する。
すなわち、本考案のノートPCの電源装置は該CPU散熱板１により熱エネルギーを導出し、該エンジン室５の軸の回転を起動し、該発電機６及び該電子回路コントローラ７を通して電気エネルギーを生じ、さらに、本考案においては該エンジン室５と該燃料発熱器８は接続するため、可燃性燃料を該エンジン室５に提供し熱エネルギーを発生し、該電子回路コントローラ７により電力をノートPCに供給することができ、
さらに、本考案のノートPCの電源装置はノートPC９とノートPC充電器１０間の充電接続においても使用可能で、使用時には該ノートPC内部のCPU散熱板１により熱エネルギーを該導熱管２に伝導し、該電源発生本体３により電源を発生し、該直流電源出力線４へと出力し、こうして、該ノートPC９の熱エネルギーを回収し、冷却装置のコストを節減し、同時にノートPC充電器１０の使用において外出時と室内の両用の機能を達成することができることを特徴とするノートPCの電源装置である。
【考案の効果】
【０００５】
上記のように、本考案ノートPCの電源装置により、ノートPCは導熱管を利用し、熱エネルギーを回収、転換し電源として出力することができ、ノートPC内部の冷却装置のコストを低下させることができる。或いは同時に、ノートPCは可燃燃料発熱器が生じる熱エネルギーを利用し必要とする電源に転換することができる。該可燃燃料発熱器はオイル補充が容易な設計で、外出先でのノートPC使用時の電力不足の恐れ、或いは予備のバッテリを携帯しなければならないという面倒を排除することができる。こうして、本考案ノートPCの電源装置により、ノートPCは外出使用時に、電源コード及び外部からの電源供給を必要としないという利便性を達成し、同時にエネルギー使用の効率を向上させ、省エネルギーの目的を達成することができる。
【考案を実施するための最良の形態】
【０００６】
本考案の実施時には、図１に示すように、本考案ノートPCの電源装置中には導熱管２を接続するCPU散熱板１をノートPC９上に固定し、該導熱管２を該ノートPC９外に延伸する。また、該電源装置の電源発生本体３をその内部のエンジン室５と該導熱管２により該ノートPC９上に接続する。これにより、該ノートPC９が生じる熱エネルギーは排除され、回収された後、該電源発生本体３により電源を生じ、該ノートPC９に供給され使用に供される。
本考案の実際の実施時には、図１に示すように、該ノートPCの電源装置と元のノートPCの充電器１０をあわせて使用することができる。すなわち、コントローラ回路は自動的に電源の切り替えを調節することができる。交流電源が突然消失した時には、本考案は直ちに電力を供給しノートPCの正常な作動を維持する。こうして交流電源環境の影響による操作中の突然の電源消失を防止することができる。
【０００７】
次に図２に示すように、本考案中にはさらに燃料発熱器８を設置する。該燃料発熱器８は燃料を用い熱エネルギーを発生(カイロと同様の発熱機能による)し、該熱エネルギーを該エンジン室５に伝達し、該発電機６を起動し電源を発生する。
この機能は交流電源の摂取ができない場所において、操作者のノートPCがバッテリ容量ゼロである時に使用する。或いは、コンピュータCPUの熱エネルギーが該エンジン室５を起動し該発電機６に電源を発生させるには十分でない時に、使用者は燃料を充填後、本考案装置を起動し、発電し、ノートPC９の使用に供するものである。同時に特に長時間ノートPCを使用する時には、該ノートPC自身が生じる熱エネルギーの回収設計は電力使用時間を延長することにより、エネルギーを節減することができる。
【０００８】
本考案のオイル補充は簡易充填式に設計し、随時蓋体８１を開き、燃料を補充することができる。図２に示すエンジン室５は熱エネルギーを運動エネルギーに転換し該回転軸５１を連動し、該発電機６に発電させることができる。該運動エネルギーが生じる回転速度は、発電機回転速度検知部品７５により該電子回路コントローラ７内部に伝達され自動調節の機能を実現する。また制御回路インジケータ７６は運転状態下での回転速度、熱エネルギー、点火情況、燃料情況の指示或いは警告を表示する。
【０００９】
上記のように本考案は、ノートPC９の散熱装置に対応し、内部のCPU散熱板１と散熱板導熱管１１を合わせて私用する。該導熱管２の接続により、使用者は本考案を使用するか否かを選択する。該導熱管２の設計は取外し式で、使用者は該導熱管２を取外し単独で該燃料発熱器８により発熱発電方式を使用することもでき、必ずしも該導熱管２と該燃料発熱器８両者を同時に使用する必要はない。すなわち、ノートPC９内部の熱エネルギーを回収する方式と組合せて使用することもできる。
【００１０】
次に図４に示すように、ノートPC９を一般の交流電源ACを用い直接直流電力に転換し使用する時には、ノートPC充電器１０を経由して該電源及び信号は電子回路コントローラ７に送られ、電源をノートPC充電器１０に供給する。この時、該電子回路コントローラ７は本考案装置の執行を停止する。
上記情況において交流電源の供給が停止した場合に、ノートPC９内部のCPU散熱板１に十分な熱エネルギーがある、或いは使用中に十分な熱エネルギーが生じる時には、その熱エネルギーは該エンジン室５に伝達され、該回転軸５１の回転を起動する。さらに、該発電機６を通して熱エネルギーを電源に転換し、該電子回路コントローラ７に入力する。この時、切替器７８により該燃料発電機８の加熱を停止し、該エンジン室５及び該発電機６により電源供給に切り替える。
該エンジン室５により該回転軸５１を回転させ、該発電機６に電源を発生させる場合には、該回転軸５１の運転及び回転速度は、該発電機回転速度検知部品７５により回転速度検知回路Cにおいて計測される。回転速度が落ち該発電機６が十分な電源を発電できなくなる前に、該切替器７８は切り替え該起動スイッチ７４を起動し、点火回路Aを通して点火線７７に点火する。これにより該燃料発熱器８を加熱し、該導熱管２に代わりがエンジン室５に熱を与え、さらに該発電機６を通して運動エネルギーを電源に転換し使用に供する。
【００１１】
本考案ノートPCの電源装置はCPU散熱板１を利用し熱エネルギーを回収或いは燃料発熱器により熱エネルギーを生じる方式を独立或いは合併し設置することができる。
さらに、該CPU散熱板１により該導熱管２を経由し提供する熱エネルギー、或いは該燃料発熱器８の加熱により生じる熱エネルギーは共に、該エンジン室５に伝えられ、該発電機６を経由し電源に転換される。さらにそれは電圧安定及びダブラー回路Bにより、安定かつ適当な直流電圧及び電流に調整される。
【図面の簡単な説明】
【００１２】
【図１】ノートPC電源装置の実施例の立体図である。
【図２】本考案ノートPC電源装置の主要構成部品の立体図である。
【図３】本考案ノートPC電源装置の電子回路コントローラの拡大透視立体図である。
【図４】本考案ノートPC電源装置のコントロール回路の簡易ブロックチャートである。
【符号の説明】
【００１３】
１  CPU散熱板
１１  散熱板導熱管
２  導熱管
３  電源発生本体
４  直流電源出力線
４１  接続端子
５  エンジン室
５１  回転軸
６  発電機
７  電子回路コントローラ
７１  電子制御板
７２  電子部品
７３  起動バッテリ
７４  起動スイッチ
７５  発電機回転速度検知部品
７６  制御回路インジケータ
７７  点火線
７８  切替器
８  燃料発熱器
８１  蓋体
９  ノートPC
１０  ノートPC充電器
A  点火回路
B  電圧安定及びダブラー回路
C  回転速度検知回路
【図１】
0003104138.tif 000003
【図２】
0003104138.tif 000004
【図３】
0003104138.tif 000005
【図４】
0003104138.tif 000006